(57)【要約】プログラム可能電力曲線および傾斜を発生するためのプログラム可能制御回路が開示されている。回路は、正帰還と負帰還を有する増幅器を含む。正帰還がタイム・ラグ構成要素を含み、負帰還が利得構成要素を含む。回路出力は、構成要素値および／または入力信号を変えることによって簡単にプログラム可能である。一実施形態では、制御回路の出力波形の変化率を修正することができる。別の実施形態では、回路が、負荷に供給される開始電力を制御する。さらに別の実施形態では、回路が波形発生器である。
2004501487.tif 000002
【特許請求の範囲】
【請求項１】
電圧入力および電圧出力を有する増幅器と、
前記電圧入力および前記電圧出力に電気接続する負帰還と、
前記電圧入力および前記電圧出力に電気接続する正帰還と
を備えるプログラム可能制御回路。
【請求項２】
前記負帰還が、電気接続状態の抵抗器（Ｒ１）および抵抗器（Ｒ２）を備える請求項１に記載の回路。
【請求項３】
前記抵抗器（Ｒ１）と前記抵抗器（Ｒ２）が実質的に等しい値である請求項２に記載の回路。
【請求項４】
さらに、負荷に結合されたセンサを備え、前記センサが負荷の物理変数を監視する請求項１に記載の回路。
【請求項５】
前記正帰還が、電気接続状態の抵抗器（Ｒ）およびコンデンサ（Ｃ）を備える請求項２に記載の回路。
【請求項６】
前記抵抗器の少なくとも１つがデジタル電位差計を備える請求項５に記載の回路。
【請求項７】
前記負帰還が少なくとも１つの論理ダイオードを備える請求項１に記載の回路。
【請求項８】
前記負帰還が少なくとも１つのツェナー・ダイオードを備える請求項７に記載の回路。
【請求項９】
前記抵抗器（Ｒ２）が分圧器を備える請求項２に記載の回路。
【請求項１０】
少なくとも１つの検出器入力および１つの検出器出力を有し、前記検出器入力が前記電圧出力に結合されているしきい値検出器と、
前記検出器出力に結合されたパルス発生器と、
パルスを受け取るように前記パルス発生器に結合された第１のスイッチと、
をさらに備える請求項１に記載の回路。
【請求項１１】
第１および第２の出力リードと入力リードとを有するフリップフロップを備え、
前記入力リードが前記パルス発生器に結合され、さらに、
前記電圧入力で電圧を受け取るように前記フリップフロップの第１の出力リードに結合された第２のスイッチと、
前記電圧入力で逆の極性の電圧を受け取るように前記フリップフロップの第２の出力リードに結合された第３のスイッチと、
をさらに備える請求項１０に記載の回路。
【請求項１２】
ソフトスタート回路においてプログラム可能電力曲線を発生するための方法であって、
入力端子および出力端子を有する増幅器を提供するステップと、
発散出力波形を発生するように前記増幅器を構成するステップと、
前記入力端子に電位を印加するステップと、
負荷の電源に前記出力端子を結合するステップと
を含む方法。
【請求項１３】
前記構成ステップが、
前記入力端子と出力端子の間に正帰還を接続するステップと、
前記入力端子と出力端子の間に負帰還を接続するステップと、
を含む請求項１２に記載の方法。
【請求項１４】
前記印加ステップが、電位の大きさを変えるステップを含む請求項１２に記載の方法。
【請求項１５】
前記入力端子および負荷に感知デバイスを結合するステップであって、負荷が電流感知特性を有するステップと、
電流感知特性に対応して前記感知デバイスでデータを受け取るステップと、
データに応答して前記入力端子への電位を制御するステップと
を含む請求項１２に記載の方法。
【請求項１６】
データを受け取る前記ステップが温度を含む請求項１５に記載の方法。
【請求項１７】
正帰還への前記接続が、電気接続状態の抵抗器およびコンデンサを備える請求項１３に記載の方法。
【請求項１８】
負帰還への前記接続が、電気接続状態の第１の抵抗器（Ｒ１）および第２の抵抗器（Ｒ２）を備える請求項１３に記載の方法。
【請求項１９】
さらに、前記発散出力波形の電圧変化率の増加に応答して、前記第１および第２の抵抗器の値を修正するステップを含む請求項１８に記載の方法。
【請求項２０】
周期波形を発生するためのプログラム可能回路であって、
電圧入力、電圧出力、負帰還、および正帰還を有する増幅器であって、前記負帰還と正帰還が前記電圧入力と前記電圧出力の間で電気接続される、増幅器と、
前記演算増幅器に接続された少なくとも１つの検出器入力端子、および１つの検出器出力端子を有するしきい値検出器と、
前記検出器出力端子に接続されたパルス発生器と、
前記パルス発生器からパルスを受け取るように結合されたスイッチと、
を備え、前記周期波形が前記電圧出力に現れるプログラム可能回路。
【請求項２１】
第１および第２の出力リードと１つの入力リードとを有するフリップフロップであって、前記入力リードが前記パルス発生器と前記スイッチの間に結合されるフリップフロップと、
前記第１の入力の極性と逆の極性を有する第２の電力入力と、
を備え、前記第１および第２の電力入力が、前記第１および第２のフリップフロップ出力リードで第１および第２のスイッチを形成する請求項２０に記載の周期波形を発生するためのプログラム可能回路。
【請求項２２】
プログラム可能電力曲線を発生するためのソフトスタート回路であって、
入力および出力を有する増幅器と、
前記入力と前記出力の間に結合された利得手段と、
前記入力と前記出力の間に結合されたタイム・ラグ手段と
を備えるソフトスタート回路。
【請求項２３】
前記電力曲線が発散波形である、請求項２２に記載のソフトスタート回路。
【請求項２４】
前記電力曲線が線形傾斜である、請求項２２に記載のソフトスタート回路。
【請求項２５】
前記利得手段が負帰還を備える、請求項２２に記載のソフトスタート回路。
【請求項２６】
前記利得手段が、電気連絡状態で２つの抵抗器を有する負帰還を備える請求項２２に記載のソフトスタート回路。
【請求項２７】
前記利得手段が、電気連絡状態で２つの実質的に等しい抵抗器を有する負帰還を備える請求項２４に記載のソフトスタート回路。
【請求項２８】
前記利得手段が少なくとも１つのダイオードを備える請求項２４に記載のソフトスタート回路。
【請求項２９】
前記タイム・ラグ手段が、電気連絡状態で抵抗器およびコンデンサを備える請求項２２に記載のソフトスタート回路。
【発明の詳細な説明】
【０００１】
（発明の分野）
本発明は、一般に、プログラム可能回路に関し、より詳細には、プログラム可能電力曲線、傾斜、および波形を発生するための回路に関する。
【０００２】
（発明の背景）
蛍光灯や白熱灯など様々な形態のランプが、少なくとも１つの壊れやすいフィラメントを含む。ランプ・フィラメントおよび他の動的負荷が、例えば温度の関数として変化するインピーダンスを示す（すなわち、電流誘導加熱によりフィラメントの温度が上昇するとき、インピーダンスが増加する）。電力がランプに供給されるとき、フィラメントは通常低温であり、抵抗値が低い。電力投入時、初期電流が、通常の動作電流の１０倍〜２０倍になる可能性がある。低温電流サージが反復されると、フィラメントが劣化し、ランプの早期故障をもたらす。
【０００３】
高い初期電流を、ソフトスタート回路を用いて制御することができる。ソフトスタート回路を使用して、電力が動的負荷に印加される割合を制御する。一般に、負荷に対して電力を滑らかに増加させることが望ましい。したがって、ランプへの電力印加の割合を制御することによって、よりゆっくりとした割合でフィラメントが加熱され、フィラメント損傷のリスクを低減する。
【０００４】
１つのソフトスタート技法は、動作していないときに動的負荷に比較的小さな連続電流を提供する「トリクル電流」である。電流の連続的な流れが、負荷を温かく保ち、インピーダンスを高く保つ。全電力が突然印加されるとき、サージ電流が低減される。トリクル電流システムは、単純であるが、外部電源またはシーケンス電源を必要とし、サージ電流をなくさず、単に減少させるだけである。さらに、この技法を実施するのに必要な電流の連続的な供給は、コストがかかり、効率的でない場合がある。
【０００５】
サージ電流効果を低減するための別の技法は、サーミスタまたは他の温度依存抵抗によるものである。電力がはじめに印加されると、電流がサーミスタを介して流れ、急速加熱および高い抵抗を生成する。サーミスタが加熱されると、抵抗値が安定し、動作電流が達成される。サーミスタは頑丈であり、比較的安く、しかしその挙動は予測が難しい。サーミスタはまた、通常動作中に大量の電力を発散し、これはその抵抗値に影響を及ぼす可能性がある。
【０００６】
また、直列インダクタが、大きな電流を必要とするいくつかの適用例でサージ電流を制限することができる。誘導チョークは、レンツの法則に従う磁気構成要素である。電力投入時、インダクタによって生成される磁場が、初期電流を減少させ、負荷に対する突然のサージ電流を低減させる。多くの環境で、強い磁場の追加が望ましくない場合がある。さらに、誘導チョークは、大きく、重く、通常動作中に電力を発散する傾向がある。
【０００７】
負荷に結合された小さなセンス抵抗器を含む電流調整システムが、さらなる別のソフトスタート技法である。抵抗器の両端間の電圧が、負荷に供給される電力を制御するための帰還を提供する。そのようなシステムは、完全に電源投入される前に、通常は約２０〜１００ミリ秒の非常に短い制御を提供し、この期間は、大きな初期電流または特に感度の良い負荷を有する適用例に関して非常に短い場合がある。
【０００８】
（発明の概要）
本発明は、少ない電子構成要素数でプログラム可能回路を提供することによって従来技術の問題を克服する。より詳細には、本発明は、ソフトスタート適用例で特に有用なプログラム可能電力曲線および傾斜発生器回路を提供する。
【０００９】
一実施形態では、プログラム可能制御回路が、正帰還および負帰還を有する増幅器を備える。負帰還は回路の利得を備え、正帰還はタイム・ラグを備える。１つの例示実施形態では、負帰還が抵抗器（Ｒ１）および抵抗器（Ｒ２）を含む。タイム・ラグは、抵抗器（Ｒ）およびコンデンサ（Ｃ）を含む。制御回路は、負荷に結合された電源を効果的に制御し、高い初期サージ電流を減少させる。回路構成要素および入力信号を修正して、プログラム可能電力曲線を提供することができる。
【００１０】
例示実施形態では、プログラム可能制御回路が、（Ｒ１）に対する（Ｒ２）の割合を増加させることによって線形傾斜出力を生成する。さらに、抵抗器（Ｒ１）を論理ダイオードおよび／またはツェナー・ダイオードで置き換えることにより、傾斜の線形性がさらに改善される。
【００１１】
さらに別の実施形態では、電力投入時の固定入力電圧が、抵抗（Ｒ２）を２つの抵抗器（Ｒ２Ａ）および（Ｒ２Ｂ）で置き換えることによって実現されて、分圧器を形成する。この技法は特に、電力投入時のソフトスタート機能に有用である。
【００１２】
さらに別の実施形態では、負荷に結合されたセンサが、対象の変数を測定する。測定情報を使用して、制御回路に対する電圧入力を制御する。１つの特定の実施形態では、センサが、負荷の温度を測定する。負荷の温度が上昇するにつれて、制御回路に対する電圧が増加される。
【００１３】
さらに別の実施形態では、周期モノポーラ波形発生器が、しきい値検出器、パルス発生器、およびスイッチを追加することによって実現される。３つ以上のスイッチ、フリップフロップ、および逆極性の別の入力信号を追加することによってバイポーラ波形を形成することもできる。
【００１４】
本発明のこれらおよびその他の特徴、態様、および利点は、以下の説明、頭書の特許請求の範囲、および添付図面に関連してより良く理解されよう。
【００１５】
（好ましい実施形態の詳細な説明）
以下の説明は、好ましい例示実施形態にすぎず、本発明の範囲、適用例、または構成を何ら制限することを意図するものではない。以下の説明は、本発明の好ましい実施形態を実施するための簡便な説明を与え、頭書の特許請求の範囲に記載した本発明の精神および範囲を逸脱することなく、好ましい実施形態で説明した要素の機能および構成に様々な変更を加えることができることを理解されたい。
【００１６】
本発明の様々な態様による制御システムは、例えばランプなどの負荷に供給される電力を制御する。一実施形態では、制御システムは、特に、ランプ・フィラメントに損傷を与える可能性がある初期電流を制御するように構成されている。さらに、本発明の制御システムは、特に、例えば航空電子工学ディスプレイ、ラップトップ・コンピュータ、ビデオ・カメラ、現金自動預払機ディスプレイなど様々な適用例で使用される液晶ディスプレイ（ＬＣＤ）にバックライトを当てるのに使用されるランプに適している。高い初期電流によって損傷または他の悪影響を受ける可能性がある任意の適切な適用例で、本発明の制御システムを使用することができることを当業者は理解されよう。
【００１７】
図１を参照すると、本発明の様々な態様による制御システム１００が、電源１０２から負荷１０４への電力の電流印加を制御する。一般に、負荷１０４は、開始時にサージ電流によって損傷を受ける可能性がある任意の電流感知負荷を表す。負荷のタイプによって電源１０２を決定することができることを当業者は理解されよう。例えば、電源１０２は、スイッチ電源（例えば、パルス幅調整器）および線形調整電源など、しかしそれらに限定されない任意の制御可能電源であってよい。
【００１８】
図２を参照すると、制御回路２００は、負帰還２０４および正帰還２０６を有する増幅器２０２を含む。図示されるように、増幅器２０２は、７４１型オペアンプなど、しかしそれに限定されない従来の演算増幅器（「オペアンプ」）を備えることができる。
【００１９】
１つの例示実施形態では、負帰還２０４が、抵抗器（Ｒ２）２１０と電気連絡する抵抗器（Ｒ１）２０８を備える。正帰還２０６は、実用的でありプログラム可能な標準ＲＣ（抵抗器２１４、コンデンサ２１２）ラグを備える。典型的には、増幅器は、動作するのにＤＣ電力を必要とする。したがって、制御回路２００への入力電圧は、一定であり、時間と共に変化しない。しかし、入力電圧は、出力を修正するように大きさを変えることができる。
【００２０】
回路は、図３の例示ブロック図を参照すればより簡単に理解することができる。正帰還３０２は、ラグとして挙動し、回路の変化率３０４を変調するように設計することができる。回路の利得３０６は、負帰還３０８の構成要素の値を変更することによって変えることができる。
【００２１】
図４を参照すると、図２に示される回路のサンプル出力波形が例示されている。この例では、抵抗器（Ｒ１）２０８の値が、抵抗器（Ｒ２）２１０の値と実質的に等しく設定され、コンデンサ２１２が完全に放電されていると仮定する。動作時、回路の入力に小さな電圧を印加すると、入力と大きさが等しく、しかし極性が逆の電圧出力が生じる。増幅器２０２の反転入力２２０および非反転入力２２２を同じ電位にしなければならないので、コンデンサ２１２に電荷が蓄積されていない。しかし、コンデンサ２１２は、出力電圧を抵抗値２１４で割った値に等しい充電電流で、抵抗器（Ｒ）２１４を介してほぼ即時に充電を開始する。コンデンサ２１２が充電されると、非反転入力２２２での電圧が、指数関数的に増加し始める。反転入力２２０での電圧は、非反転入力２２２での電圧を模倣する。この作用により、出力での電圧が増加し、これが、コンデンサ２１２への充電電流を増加させる。この動作は、電源への出力電圧を徐々に増加させ、制御回路の限界に達するまで続く。
【００２２】
本発明の回路２００の一実施形態では、（Ｒ２）は、（Ｒ１）と値がほぼ等しい。引き続き図４を参照すると、（Ｒ２）が（Ｒ１）にほぼ等しいとき、完全な動作電力になる前にかなりの期間が存在することが波形４００から明らかである。さらに、（Ｒ２）が（Ｒ１）にほぼ等しい場合、発散指数関数が生じることが図４から明らかである。
【００２３】
次に図５を参照すると、図２の回路の電圧出力波形が例示されている。電流充電コンデンサ２１２は、減少するのではなく、連続的に増加するので、波形５００は発散する。非反転入力２２２での電圧が増加するので、反転入力２２０での電圧も増加する。コンデンサ２１２は、ほぼ即時に充電を開始し、電圧限界に達するまで増加し続ける。本発明の負帰還および正帰還２０４、２０６は、示された変化率で発散出力波形を生成する。
【００２４】
図６は、従来技術増幅器からの信号を例示する。図５および６は、例示目的で時間および電圧に関して正規化されている。波形６００によって表される従来技術回路は、１に等しい時刻に、電圧出力の急なジャンプを示す。実際、１に等しい時刻に、波形６００はすでに、完全な動作電力の半分になっている。比較すると、この同じ時刻に、本発明の例示波形５００は、電圧がわずかに高くなるにすぎず、６に等しい時刻の後まで半分の動作電力に到達しない。特に開始時に出力電圧の急激な増加を回避することが、負荷に対する損傷ストレスを減少させ、負荷の動作寿命を延ばす。
【００２５】
本発明の発散波形の別の利点は、波形５００と６００を比較することによってさらに実証される。典型的には、指数関数出力波形（収束および発散）は滑らかな形状を保つ。２つの指数関数波形の相違点は、増加率にある。時間に対する電圧の変化（ｄＶ／ｄｔ）は、時間にわたって電圧が変化する割合である。図６を参照すると、（ｄＶ／ｄｔ）が、波形６００の水平漸近線付近に例示されている。６．５に等しい時刻に、（ｄＶ／ｄｔ）は、約３単位の時間（すなわち３．５〜６．５）をカバーしている。本発明の例示波形５００は、垂直漸近線付近でわずか１／２単位の時間（すなわち６．０〜６．５）というはるかに小さい（ｄＶ／ｄｔ）を有する。したがって、対象の間隔で、波形５００の方が大きな電圧変化率を示す。本発明の出力波形は、電圧変化の急速な初期増加を回避し、負荷の電源に対して電圧を単調に増加させる。例えば図５の例示電力波形に対応して電力を徐々に増加させることにより、効率の良い電力の印加が生じる（すなわち、回路が「ウォーム・アップ」する時に電源が電力を印加する）。
【００２６】
また、図５および６によって例示されている本発明の別の利点は、本発明によって達成可能な精密なタイミングである。再び波形６００を参照すると、（ｄＶ／ｄｔ）が約３単位の時間をカバーしている。これは、従来技術回路の出力で生じる電圧の変化がこの３単位の時間内のどこかで生じることを意味する。他方、波形５００は、約１／２単位の時間に等しいはるかに小さな（ｄＶ／ｄｔ）をカバーする。より小さな間隔が、波形５００での電圧の時刻を特定する際に、より高レベルの精度を可能にする。
【００２７】
本発明のさらに別の利点は、そのプログラム可能性である。制御回路２００の電気構成要素の値を増加し、減少し、または修正し、かつ／または回路への入力信号を変更することによって、回路の性能をプログラミングすることができる。指定の環境での特定の負荷に関して、開始中の電圧の増加の指数関数性質が望ましくない場合がある。そのような適用例では、より低い変化率、または線形の電力曲線が必要になる場合がある。
【００２８】
本発明の柔軟性を例示するために、図７に、抵抗器（Ｒ２）と（Ｒ１）を変えたときの結果として得られる出力波形を示す。基準として、（Ｒ２）が実質的に（Ｒ１）と等しいときの例示出力を示すために、波形４００が波形７００として写されている。（Ｒ１）に対する（Ｒ２）の割合が増加するにつれて、コンデンサ２１２が充電されるときに、反転入力２２０に対する制御回路２００の出力での電圧が比較的一定になる。これは、コンデンサ２１２に、実質的に一定であり、コンデンサ２１２を線形に充電する電流を供給する。（Ｒ１）に対する（Ｒ２）の割合がさらに増加すると、例示出力波形７０２によって示されるように変化率がさらに増加する。（Ｒ１）に対する（Ｒ２）の割合が増加するにつれて、出力波形７０４、より詳細には図８の出力波形８００が、回路２００の出力のほぼ完全な線形性を示す。
【００２９】
本発明の別の実施形態では、（Ｒ１）を１つまたは複数の論理ダイオードで置き換える。ここで図９を参照すると、制御回路９００が、負帰還９０４での２つのダイオード９０２と、正帰還９０８でのＲＣラグ９０６とを備える。この実施形態では、ダイオード９０２は、平行に、しかし逆向きに接続され、それによりバイポーラ動作を可能にする。したがって、出力は正または負の方向に進むことができる。ダイオード構成により、抵抗器（Ｒ）の両端間の電圧を一定にすることができ、これは、一定の電流をコンデンサ（Ｃ）に供給する。ここで、コンデンサ（Ｃ）は、指数関数ではなく線形に充電されている。ダイオード９０２の両端間の電圧降下は、電流の増加と共に対数的に増加し、温度の上昇と共に線形に減少する。電流および温度の効果は、ごくわずかな、しかし顕著な変化をもたらす。したがって、入力電圧および周囲温度が、システム９００の従属変数である。
【００３０】
出力波形（図示せず）は、入力信号および／または（Ｒ）および（Ｃ）の値を変更することによって、より具体的にはｉをコンデンサ（Ｃ）への電流として公式（ｄＶ／ｄｔ＝ｉ／Ｃ）に従って、傾斜（例えば、単調に増加する線形傾斜）の勾配を制御するようにプログラミングすることができる。当業者は、コンデンサ公式を容易に認識し、本発明の固有のプログラム可能性を理解されよう。例えば、（Ｒ）（または回路内の任意の抵抗器）が、デジタル抵抗器またはデジタル電位差計を備えることができる。電位差計は、例えばデジタル・ハードウェア（例えばチップ）および／またはソフトウェア（例えばコンピュータ・プログラム）によって制御することができる。
【００３１】
本発明の別の実施形態である図１０では、負帰還１００６が、１つまたは複数のツェナー・ダイオード１００２と、同数の論理ダイオード１００４とを備え、正帰還１００８がＲＣラグ１０１０を備える。論理ダイオード１００４は、バイポーラ動作をするように、各ツェナー・ダイオード１００２に直列に配置される。この構成は、ツェナー・ダイオードが、逆向きに、論理ダイオードと同様に挙動するのを防止する。（Ｒ１）を、ツェナー・ダイオード１００２と論理ダイオード１００４の組合せで置き換えることにより、抵抗器（Ｒ）の両端間の電圧を一定に保つ。コンデンサ（Ｃ）への電流も一定であり、したがってコンデンサ（Ｃ）が線形に充電される。例示システム９００と異なり、図１０のツェナー・ダイオード構成は、電圧依存でも温度依存でもない。ツェナー・ダイオード１００２の電圧は、ダイオード１００４の電圧の変化に比べて大きいので、この変化は回路１０００によって気付かれない。ツェナー・ダイオード１００２は、例えば、論理ダイオード１００４を補完する温度係数を有することによって温度不変を達成するように選択される。
【００３２】
図１１は、分圧器回路を備える本発明のさらに別の実施形態を例示する。回路１１００内で、抵抗器（Ｒ２）が抵抗器（Ｒ２Ａ）１１０２および（Ｒ２Ｂ）１１０４によって置き換えられている。抵抗器１１０２および１１０４は、分圧器を形成するように電気的に接続される。この実施形態は、特に、電源投入時のワンタイム・ソフトスタート機能に適しており、次いで、電力が再び印加されるときにのみ繰り返される。さらに、この実施形態は、増幅器など他の回路に電力供給するのに必要な既存の電源を利用する。
【００３３】
負荷の物理変数は、負荷が受け入れることができる電流の量に直接影響を与える場合がある。例えば、飛行機コックピットのディスプレイ・システムで使用されるランプ・フィラメントは、飛行機が飛行している場所によって激しい温度変化を受ける可能性がある。より暖かい気候では、ランプ・フィラメントは、より短時間、より高い電流に耐えることができ、通常は、完全な動作電流に急速に導かれる。しかし、より寒い気候では、低温のランプ・フィラメントは、よりゆっくりとした電流の印加を必要とし、電流が突然印加される場合に損傷を受けやすい。
【００３４】
図１２を参照すると、本発明の別の実施形態は、負荷の温度を監視するためのセンサ・デバイスを含む。制御システム１２０４は、電源１２０６から負荷１２０２への電力の印加を制御する。完全な動作電流を供給するのに最適な割合を求めることが有利である（例えば負荷が適切に「ウォーム・アップされる」とき）。センサ１２００は、負荷１２０２に適切に結合されて、負荷からの定期的な温度読取りを受け取る。温度情報は、センサ１２００から制御１２０４の電圧入力に伝送される。電圧入力は、負荷１２０２の温度の増加に関して増加される。したがって、負荷温度増加が示されるとき、より多くの電力を安全に供給することができ、電圧入力はそれに応じて調節される。この例示構成は、例えば、厳しい低温気候での負荷損傷を低減するのに必要とされる、より低い変化率を可能にする。負荷に供給される電力の量に影響を及ぼす可能性がある同様の物理変数（例えば、湿度、光、ｐＨ、圧力、利用可能な電力）は、監視することができ、本発明の範囲内に含まれるように意図されていることを当業者は理解されよう。
【００３５】
本発明の制御回路のさらなる実施形態は、特定のタイプの負荷を試験するために使用することができ、しかしそれに限定されない。前述したように、正帰還と負帰還の独特の組合せが発散波形を発生する。本発明の発散波形は、パルス・パターンで再現することができる。次に、図１３を参照すると、モノポーラ周期波形発生器１３００が本発明に従って開示されている。この実施形態では、正帰還と負帰還の両方を有する図２の回路構成が、しきい値検出器１３０２、パルス発生器１３０４、およびスイッチ１３０６に結合されている。当業者は、回路の機能をすぐに認識されよう。
【００３６】
いくつかの適用例に関して、正負両方のパルスを発生することが望ましい。図１３の実施形態は、バイポーラ周期波形を発生するように機能強化することができる。図１３の例示構成要素に加えて、図１４の回路１４００は、フリップフロップ１４０２と、第２の電源（一般に、図１４で「入力（＋）および入力（−）」と示す）と、少なくとも２つの追加のスイッチ１４０４および１４０６とを備える。追加のスイッチ１４０４および１４０６はそれぞれ、互いに逆の極性の入力電圧信号を受け取る。
【００３７】
本発明を、好ましい実施形態に関連して上述してきた。しかし、この開示を読んだ当業者は、本発明の範囲を逸脱することなく好ましい実施形態に変更および修正を加えることができることを理解されよう。これらおよびその他の変更または修正は、頭書の特許請求の範囲で表した本発明の範囲内に含まれるように意図されている。
【図面の簡単な説明】
【図１】
本発明による制御システムをブロック形式で示す図である。
【図２】
本発明による例示プログラム可能回路図である。
【図３】
ブロック形式で図２を示す図である。
【図４】
（Ｒ２）＝（Ｒ１）である、本発明による例示プログラム可能回路の出力波形を示す図である。
【図５】
本発明による例示プログラム可能回路の発散出力波形での（ｄＶ／ｄｔ）を示す図である。
【図６】
従来技術の収束出力波形での（ｄＶ／ｄｔ）を示す図である。
【図７】
（Ｒ１）に対する（Ｒ２）の割合が増加された、本発明による例示プログラム可能回路の出力波形を示す図である。
【図８】
（Ｒ２）＞＞（Ｒ１）である、本発明による例示プログラム可能回路の出力波形を示す図である。
【図９】
（Ｒ１）が論理ダイオードを備える、本発明による一実施形態を示す図である。
【図１０】
（Ｒ１）がツェナー・ダイオードを備える、本発明による別の実施形態を示す図である。
【図１１】
（Ｒ２）が分圧器を備える、本発明による別の実施形態を示す図である。
【図１２】
本発明による制御システムのセンサ実施形態をブロック形式で示す図である。
【図１３】
本発明の別の実施形態による周期モノポーラ波形発生器を示す図である。
【図１４】
本発明の別の実施形態による周期バイポーラ波形発生器を示す図である。
【図１】
2004501487.tif 000003
【図２】
2004501487.tif 000004
【図３】
2004501487.tif 000005
【図４】
2004501487.tif 000006
【図５】
2004501487.tif 000007
【図６】
2004501487.tif 000008
【図７】
2004501487.tif 000009
【図８】
2004501487.tif 000010
【図９】
2004501487.tif 000011
【図１０】
2004501487.tif 000012
【図１１】
2004501487.tif 000013
【図１２】
2004501487.tif 000014
【図１３】
2004501487.tif 000015
【図１４】
2004501487.tif 000016
【国際公開パンフレット】
2004501487.tif 000017
2004501487.tif 000018
2004501487.tif 000019
2004501487.tif 000020
2004501487.tif 000021
2004501487.tif 000022
2004501487.tif 000023
2004501487.tif 000024
2004501487.tif 000025
2004501487.tif 000026
2004501487.tif 000027
2004501487.tif 000028
2004501487.tif 000029
2004501487.tif 000030
2004501487.tif 000031
2004501487.tif 000032
2004501487.tif 000033
2004501487.tif 000034
2004501487.tif 000035
2004501487.tif 000036
2004501487.tif 000037
2004501487.tif 000038
2004501487.tif 000039
2004501487.tif 000040
2004501487.tif 000041
2004501487.tif 000042
2004501487.tif 000043
2004501487.tif 000044
2004501487.tif 000045
2004501487.tif 000046
【国際公開パンフレット（コレクトバージョン）】
2004501487.tif 000047
【国際調査報告】
2004501487.tif 000048
2004501487.tif 000049
2004501487.tif 000050
2004501487.tif 000051
2004501487.tif 000052